(57)【特許請求の範囲】
【請求項１】
枠側端子を備える引出枠と前記引出枠内を移動し前記枠側端子と接触及び解離する本体側端子を備える遮断器本体とからなり各極の入力側及び出力側端子がそれぞれ前記引出枠の巾方向に一列に配置される多極形の引出形回路遮断器のシャッタ装置であって、前記枠側端子の遮断器本体側端面を覆う入力側及び出力側に個別に備えられる上下に変位自在のシャッタ板と、前記シャッタ板の巾方向の両端を保持し前記遮断器本体が挿入又は引き出されるのに追随して前記シャッタ板を前記枠側端子の前記端面をそれぞれ露出し又は覆うように変位させる駆動機構とを備えるものにおいて、
前記遮断器本体が引き出されたとき前記シャッタ板と係合可能な位置まで移動して、前記遮断器本体の引出方向への前記シャッタ板の湾曲を阻止する阻止部材を、前記引出枠の巾方向の中間部に備えたことを特徴とする引出形回路遮断器のシャッタ装置。
【請求項２】
前記シャッタ板湾曲阻止部材は、復帰ばねにより前記遮断器の引出方向へ付勢される遮断器本体の移動と平行に移動するロッドであり、前記ロッドの前記遮断器本体方向の端部付近に前記遮断器本体方向に湾曲付勢されるシャッタ板との係合端を設けたことを特徴とする請求項１の引出形回路遮断器のシャッタ装置。
【請求項３】
前記シャッタ板湾曲阻止部材は、復帰ばねにより自由端が遮断器本体の略引出方向へ付勢されるレバーであり、前記自由端に前記遮断器本体方向に湾曲付勢される前記シャッタ板との係合端を設けたことを特徴とする請求項１の引出形回路遮断器のシャッタ装置。
【請求項４】
前記シャッタ板湾曲阻止部材である前記レバーにはロック孔が形成され、前記レバーの付勢方向と逆方向に付勢されるとともにロック孔が形成されたロックレバーを前記レバーと同軸上に設け、前記シャッタ板が閉じている状態で前記ロックレバーを前記両ロック孔が重なる位置まで回転させたとき前記シャッタ板と係合可能であって該シャッタ板の開く方向への移動を阻止する係合手段が前記ロックレバーに設けられていることを特徴とする請求項３の引出形回路遮断器のシャッタ装置。
【発明の詳細な説明】
【０００１】
【発明の属する技術分野】
本発明は、多極形の引出形回路遮断器のシャッタ装置の安全性を確保する技術に関する。
【０００２】
【従来の技術】
引出形回路遮断器は引出枠と引出枠内を移動する遮断器本体とからなり、遮断器本体が引出枠から引き出されることによって枠側端子と本体側端子が開離し挿入されることによって接触する構造となっている。枠側端子は引出枠の奥の壁を貫通し、その外側の部分で外部電線が接続され内側の部分で本体側端子と接触する。
【０００３】
この枠側端子の内側部分は遮断器本体が引き出されたとき露出状態となり、誤って触れると感電するという問題があるため、引出形回路遮断器には自動的にこの部分を絶縁板で覆うシャッタ装置が装着されることがある。特願平１０−５９９６１においてこのシャッタ装置の従来の技術の一例が本願出願人によって提案されている。
【０００４】
この従来のシャッタ装置が装着されている３極形の引出形回路遮断器は、３極分の入力側と出力側の端子が互いに間隔を持って上下にそれぞれ横一列に配置されており、シャッタ装置は引出枠の左右両側板に対向して備えられる駆動装置にその両端が保持され入力側及び出力側端子に対応して上側と下側にシャッタ板（絶縁板）を有し、遮断器本体が引き出されるときそれぞれのシャッタ板は引出枠の内側に突き出た３極分の枠側端子の遮断器本体側端面をシャッタ板との間隔がほとんどない状態で覆う。そして、遮断器本体が挿入されるのに追随して駆動装置が動作して、それぞれのシャッタ板は上方又は下方に移動して枠側端子を露出させ、さらに挿入操作が続けられるとこれらのシャッタ板も遮断器本体の挿入方向に移動して両端子が接触する。
【０００５】
【発明が解決しようとする課題】
この従来のシャッタ装置は、シャッタ板が３極分の枠側端子の端面を一括して覆い、かつ、その両端で保持されているため、故意又は無意識にその中央部を手前に引くように力を加えると弓状に湾曲しシャッタ板と枠側端子の端面との間の隙間が大きくなり、枠側端子に指などが接触する危険性があった。このような危険を避けるために従来のシャッタ装置はシャッタ板を厚くして湾曲量を少なくしたり上下方向の巾を大きくして多少湾曲しても指などが枠側端子に接触しないような考慮をする必要があった。しかし、このような構成にすると、価格の高い絶縁板を使用したり駆動装置のばねを強くしたりする必要があり、装置が高価になるという問題があった。
【０００６】
したがって、本発明の課題は、簡単な構成で上記の問題を解決できる安全な引出形回路遮断器のシャッタ装置を実現することにある。
【０００７】
【課題を解決するための手段】
上記の問題を解決するために、請求項１ないし請求項３のいずれかの発明の引出形回路遮断器のシャッタ装置は、枠側端子を備える引出枠と引出枠内を移動し枠側端子と接触及び解離する本体側端子を備える遮断器本体とからなり各極の入力側及び出力側端子がそれぞれ引出枠の巾方向に一列に配置される多極形の引出形回路遮断器のシャッタ装置であって、枠側端子の遮断器本体側端面を覆う入力側及び出力側に個別に備えられる上下に変位自在のシャッタ板と、シャッタ板の巾方向の両端を保持し遮断器本体が挿入又は引き出されるのに追随してシャッタ板を枠側端子の端面をそれぞれ露出し又は覆うように変位させる駆動機構とを備えるものにおいて、遮断器本体が引き出されたときシャッタ板と係合可能な位置まで移動して、遮断器本体の引出方向へのシャッタ板の湾曲を阻止する阻止部材を、引出枠の巾方向の中間部に備えることとしている。
【０００８】
このような構成により、遮断器本体を引き出した状態でシャッタ板に遮断器本体方向への力を加えても、シャッタ板は、その中間部においてシャッタ板湾曲阻止部材と係合し、その巾方向の両端と中間部においてその変位が阻止されるため、中間部で湾曲してシャッタ板と端子の端面の間に有害な隙間ができることはない。
【０００９】
請求項4の発明の引出形回路遮断器のシャッタ装置は、請求項3のシャッタ装置において、シャッタ板湾曲阻止部材であるレバーにはロック孔が形成され、レバーの付勢方向と逆方向に付勢されるとともにロック孔が形成されたロックレバーをレバーと同軸上に設け、シャッタ板が閉じている状態でロックレバーを両ロック孔が重なる位置まで回転させたときシャッタ板と係合可能であって該シャッタ板の開く方向への移動を阻止する係合手段がロックレバーに設けられていることとしている。
【００１０】
このような構成により、シャッタ板が枠側端子の端面を覆っている閉じた状態においてロックレバーを回転させて、レバーとロックレバーのロック孔が重なったとき両方の孔を挿通するように南京錠などのロック手段を取り付けると、シャッタ板を開ける方向に人為的に押してもロックレバーの係合手段がシャッタ板の移動を阻止するため枠側端子が露出することはない。
【００１１】
【発明の実施の形態】
本発明の実施の形態を、図１ないし図１１に示される第１ないし第３の実施例において説明する。第１実施例のシャッタ装置は、図1において左右に備えられた側板１の間にそれぞれ３極分が横一列に並んだ入力側の枠側端子２及び出力側の枠側端子３が取り付けられた絶縁成型物４を備える引出枠５と、図2に示される挿入された状態で枠側端子２、３の上面及び下面において接触し左方向に引き出されることによって解離するそれぞれ本体側端子６、７を備える遮断器本体８とからなる３極形の引出形回路遮断器に装着されている。
【００１２】
このシャッタ装置は、枠側端子２、３に対応して設けられるそれぞれシャッタ板９、１０と、シャッタ板９、１０をそれらの左右両端で保持するシャッタ板駆動装置１１、１２と、詳細は後述するロッド１３、１４を備えている。なお、図２は遮断器本体８が引き出された状態を示しており、枠側端子２に関しては所定の機能どおりシャッタ板９が枠側端子２の遮断器本体側端面２ａを覆った状態（シャッタが閉じた状態）を示しているが、説明の便宜上、枠側端子３に関してはシャッタ板１０が上方に変位し枠側端子３の端面３ａが露出した状態（シャッタが開いた状態）を示している。これら上側と下側のシャッタ装置は上下対称になっているだけで構造も動作も同一であるため以下上側のシャッタ装置について説明する。また、シャッタ板駆動装置１１、１２は前述の従来の技術で提案されたものと同一である上、本願の主要部ではないためその詳細説明は省略する。
【００１３】
このシャッタ装置は、遮断器本体８が引き出された状態において、枠側端子２の引出枠内部分全体を絶縁物で囲むようにするものであり、その側面及び上下面はそれぞれの枠側端子２に設けられる絶縁物製の固定筒１５及び可動筒１６によって覆われ、遮断器本体側の端面２ａはシャッタ板９によって覆うようにしている。
【００１４】
まず、枠側端子２の枠内部分の側面及び上下面を覆う固定筒１５はねじで枠側端子２に固定され、可動筒１６は固定筒１５の内側に嵌め込まれてスライド自在であってばね１７によって遮断器本体方向に付勢されており、遮断器本体８が引き出されているときは図４のごとく可動筒１６が左方に変位して固定筒１５と共同して枠側端子２の周囲を覆い、遮断器本体８が挿入される過程で遮断器本体の右側縁部８ａで可動筒１６が右方に押されて図６のごとく枠内部分２ａの左半分の周囲が露出し本体側端子６と接触できるようになる。
【００１５】
次に、遮断器本体側の端面２ａを覆うシャッタ板９は、遮断器本体８が引き出されているときは図４のごとくその端面とわずかな間隔をもって該端面２ａを覆っており、この状態においては感電などの事故が発生することはない。そして、遮断器本体８の挿入過程でシャッタ板駆動装置１１が動作し、図５のごとくシャッタ板９が下方に平行移動して端面２ａが露出し、最終的に右方向に移動して図６の位置に達する。
【００１６】
このようなシャッタ板９には図２において右極と中央極との極間に略Ｖ字状の切欠き９ａが形成されており、図４ないし図６に示されているようにこの切欠き９ａの位置に対応する絶縁成型物４の部分にはロッド１３がスライド自在に設けらればね１８によって遮断器本体８方向に付勢されている。そしてその遮断器本体側の端部には鍔１３ａが形成されており、遮断器本体８が引き出された状態で切欠き９ａが鍔１３ａの内側に嵌まり込むようになっている。そして、例えば中央極付近でシャッタ板９に遮断器本体方向の力を加えても鍔１３ａによって湾曲が阻止されるため図４の状態のシャッタ板９と枠側端子の端面２ａとの隙間が維持される。
【００１７】
ロッド１３は遮断器本体８の挿入過程でシャッタ板９が下方に移動して鍔１３ａと係合することがなくなってから遮断器本体の縁部８ａに押されて右方向に移動し、引出過程においては遮断器本体の縁部８ａから離脱した後シャッタ板９が鍔１３ａと係合可能な位置に復帰する。
【００１８】
次に、第７図ないし第９図に示されている第２実施例について説明する。この実施例のシャッタ装置は、第１実施例のロッド１３の代わりにレバー２０を設け、レバー２０には時計方向に回転させるばね２１が設けられている。この第２実施例の動作は、図７において、レバー２０はレバーストッパ２２によって時計方向の回転が阻止されている。このとき、レバー２０の自由端に形成された係合端２０ａがシャッタ板９の左側に位置しているため、第１実施例の図４と同様にシャッタ板９を左方向に湾曲させることができない。レバー２０は遮断器本体８の挿入過程でシャッタ板９が下方に移動して係合端２０ａと係合することがなくなってから遮断器本体の縁部８ａに押されて反時計方向に回転し、引出過程においては遮断器本体の縁部８ａから離脱した後シャッタ板９が係合端２０ａと係合可能な位置に復帰する。なお、第２実施例の場合はシャッタ板の切欠き９ａは必要ではない。
【００１９】
次に第１０図及び第１１図に示されている第３実施例について説明する。この実施例は第２実施例のシャッタ装置にシャッタが閉じた状態でロックできるようにしたものであって、軸２３上にばね２４によって時計方向に付勢されるレバー２５及びばね２６によって反時計方向に付勢されるロックレバー２７が回転自在に設けられている。レバー２５は係合端２５ａを有し、長孔２５ｂが形成されている以外は第２実施例のレバー２０と実質的に同一のものである。ロックレバー２７には、係合端２７ａと長孔２７ｂが形成されている。
【００２０】
このような第３実施例は、図１０に示されているようにシャッタ板９が閉じている状態でロックレバー２７を時計方向に回転させると、図１１に示されているようにロックレバーの係合端２７ａがシャッタ板９の端縁の下部に移動する。このような状態で双方の長孔２５ｂ及び長孔２７ｂを挿通するように南京錠２８を装着すると、シャッタ板９の下方へ開く方向の移動はロックレバーの係合端２７ａによって阻止され、シャッタ板９の湾曲はレバー２０の係合端２０ａによって阻止されているため、枠側端子２が露出して感電するという事故を防ぐことができる。
【００２１】
上記に、本発明の実施の形態について説明を行ったが、上記に開示された本発明の実施の形態は、あくまでも例示であって、本発明の範囲は上記の発明の実施の形態に限定されるものではない。本発明の範囲は、特許請求の範囲の記載によって示され、さらに特許請求の範囲の記載と均等の意味および範囲内でのすべての変更を含むことが意図される。
【００２２】
【発明の効果】
本発明は、以上説明した形態で実施され、引出枠の巾方向に長く巾の小さいシャッタ板を使用しても、シャッタ板に湾曲させるような力が加わったとき引出枠に設けられた湾曲阻止部材によって湾曲が阻止されるため感電事故などに対して安全性を確保できる上、シャッタ装置を安価に構成できるというような効果を奏する。
【図面の簡単な説明】
【図１】本発明による第１実施例の引出形回路遮断器のシャッタ装置の取り付けた引出枠の正面図である。
【図２】遮断器本体が挿入された状態に有る引出形回路遮断器の図１のシャッタ装置を取り付けた一部が破断された側面図である。
【図３】図１の枠側端子の周囲を覆う絶縁物を説明する分解斜視図である。
【図４】遮断器本体が引出位置にあるときの図１の実施例の要部を説明する側面図である。
【図５】遮断器本体が挿入位置と引出位置の中間位置にあるときの図４相当図である。
【図６】遮断器本体が挿入位置にあるときの図４相当図である。
【図７】遮断器本体が引出位置にあるときの第２実施例の要部を説明する側面図である。
【図８】遮断器本体が挿入位置と引出位置の中間位置にあるときの図７相当図である。
【図９】遮断器本体が挿入位置にあるときの図７相当図である。
【図１０】遮断器本体が引出位置にあるときの第３実施例の要部を説明する側面図である。
【図１１】図１０においてシャッタ板をロックしたときの図である。
【符号の説明】
１  側板
２  枠側端子（２ａ  端面）
３  枠側端子（３ａ  端面）
５  引出枠
８  遮断器本体（８ａ  縁部）
９  シャッタ板（９ａ  切欠き）
１０  シャッタ板
１１、１２  シャッタ板駆動装置
１３  ロッド（１３ａ  鍔）
１４  ロッド
１５  固定筒
１６  可動筒
１７、１８、２１、２４，２６  ばね
２０  レバー（２０ａ  係合端）
２２  レバーストッパ
２３  軸
２５  レバー（２５ａ  係合端、  ２５ｂ  ロック孔）
２７  レバー（２７ａ  係合端、  ２５７  ロック孔）
２８  南京錠
【図１】
0003678628.tif 000002
【図２】
0003678628.tif 000003
【図３】
0003678628.tif 000004
【図４】
0003678628.tif 000005
【図５】
0003678628.tif 000006
【図６】
0003678628.tif 000007
【図７】
0003678628.tif 000008
【図８】
0003678628.tif 000009
【図９】
0003678628.tif 000010
【図１０】
0003678628.tif 000011
【図１１】
0003678628.tif 000012